(57)【要約】  【課題】専用のゴミ箱に限定することなく、汎用のゴミ箱を使用時に前傾させるとともにゴミ箱の開口を開放することができるゴミ箱支持装置を提供する。  【解決手段】ゴミ箱支持装置１００は、ゴミ箱１を前傾し得るように着脱可能に支持する支持部２と、支持部２が支持しているゴミ箱１が起立している状態でゴミ箱１の開口１ａを閉じる蓋体３と、支持部２が支持するゴミ箱１が前傾することと蓋体３が開くこととを連動させる連動機構４とを備えてなる。【選択図】図１
2006096525.tif 000002
【特許請求の範囲】
【請求項１】
ゴミ箱を前傾し得るように着脱可能に支持する支持部と、
支持部が支持しているゴミ箱が起立している状態でゴミ箱の開口を閉じる蓋体と、
支持部が支持するゴミ箱が前傾することと蓋体が開くこととを連動させる連動機構とを備えてなるゴミ箱支持装置。
【請求項２】
支持部が、ゴミ箱を支持する支持フレームと、支持フレームを前傾可能に支持する本体フレームとからなり、本体フレームの上端に蓋体が取り付けられる請求項１記載のゴミ箱支持装置。
【請求項３】
支持フレームは、本体フレームの前端より前側に位置する前傾操作部分を備えてなる請求項２記載のゴミ箱支持装置。
【請求項４】
連動機構が、支持フレームの前傾に応じて蓋体を押し上げる棒体を備えてなる請求項２または３記載のゴミ箱支持装置。
【請求項５】
支持フレームが、前傾のための操作力を解除することによりゴミ箱が前傾位置から起立する位置まで自重によって移動するように本体フレームに取り付けられる請求項２、３または４記載のゴミ箱支持装置。
【発明の詳細な説明】
【技術分野】
【０００１】
本発明は、蓋をする必要があるゴミ箱を支持するゴミ箱支持装置に関するものである。
【背景技術】
【０００２】
従来、看護婦詰め所などの医療現場では、作業台の下方に蓋のついたゴミ箱を設置しておき、例えば点滴用針や脱脂綿やガーゼなどの使用済みの医療品を、蓋付のゴミ箱に捨てることにより分別回収するようにしている。これらの使用済みの医療品については、衛生上の観点から、ゴミ箱に蓋をすることにより、医療現場が不衛生になることや医療現場に異臭が充満することを防止するようにしている。
【０００３】
このような蓋付のゴミ箱として、例えば特許文献１に記載されたように、ゴミ箱が起立している場合にはその開口が蓋により閉じられ、開口が正面側上方に指向させた傾動状態で開口が開かれるものが知られている。この特許文献１のものでは、ゴミ箱の底部を床面より浮かして支持しないと、ゴミ箱を傾動させることができないため、ゴミ箱の高さ寸法が必然的に小さくなり、ゴミ箱の容量を大きくできない、と言う技術的課題を解決するために、ゴミ箱の底壁と正面壁との間に、底壁の正面端縁から正面が部の下端縁へ傾斜した面取り壁を形成して、ゴミ箱を床面から浮かすことなく支持する構成としたものである。
【特許文献１】特開２０００−２６１１０４号公報
【発明の開示】
【発明が解決しようとする課題】
【０００４】
ところが、上記の構成のものでは、ゴミ箱が面取り壁を有しているものでないと、傾動が不可能になる。つまり、特許文献１に記載のものでは、面取り壁を有する専用のゴミ箱以外は使用することができないものである。したがって、このような面取り壁を備えていない、一般的なあるいは汎用のほぼ直方体形状のゴミ箱は使用できないものである。
【０００５】
しかも、特許文献１に記載のものでは、一度傾動させたゴミ箱を起立させるために、ゴミ箱を起立位置へ向かって付勢させるばねを、架台とゴミ箱との間に設けているので、ゴミ箱を取り替えることが困難であった。つまり、例えば古くなったゴミ箱を新しいものに取り替えようとする場合、ゴミ箱を付勢しているばねを外さなければならず、また新しいゴミ箱に取り替えた場合はそのばねをゴミ箱に接続しなければならず、作業が複雑になった。
【０００６】
そこで本発明は、以上のような問題に鑑みて、専用のゴミ箱に限定することなく、汎用のゴミ箱を使用時に前傾させるとともにゴミ箱の開口を開放することができるゴミ箱支持装置を提供しようとするものである。
【課題を解決するための手段】
【０００７】
すなわち、本発明のゴミ箱支持装置は、ゴミ箱を前傾し得るように着脱可能に支持する支持部と、支持部が支持しているゴミ箱が起立している状態でゴミ箱の開口を閉じる蓋体と、支持部が支持するゴミ箱が前傾することと蓋体が開くこととを連動させる連動機構とを備えてなることを特徴とする。
【０００８】
このような構成であれば、支持部がゴミ箱を前傾し得るように支持するので、ゴミ箱自体を直接前傾させることはなくなり、専用の特殊な形状のゴミ箱とする必要がなく、汎用のゴミ箱を使用することが可能である。また、ゴミ箱が前傾することと蓋体が開くことが、連動機構により連動するので、ゴミ箱の前傾と蓋体の開放とをほぼ同時に行うことが可能になる。しかも蓋体は、ゴミ箱とは別体であるので、ゴミ箱のみを交換することにより、メンテナンスを実施することが可能である。
【０００９】
このような構成において、具体的には、支持部が、ゴミ箱を支持する支持フレームと、支持フレームを前傾可能に支持する本体フレームとからなり、本体フレームの上端に蓋体が取り付けられるものが好ましい。このような構成であれば、支持フレームの大きさをゴミ箱の大きさに適合させることにより、種々のゴミ箱に対応することが可能になる。
【００１０】
前傾動作を容易にするためには、支持フレームは、本体フレームの前端より前側に位置する前傾操作部分を備えてなるものが好ましい。このような前傾操作部分が支持フレームの下部にある場合は、足により前傾操作し得るものとなり、また支持フレームの上部にある場合は、手により操作し得るものとなる。
【００１１】
構造を簡素化するためには、連動機構が、支持フレームの前傾に応じて蓋体を押し上げる棒体を備えてなるものが好ましい。
【００１２】
蓋の開閉を容易にするためには、支持フレームが、前傾のための操作力を解除することによりゴミ箱が前傾位置から起立する位置まで自重によって移動するように本体フレームに取り付けられるものが好適である。
【発明の効果】
【００１３】
本発明は、以上説明したような構成であるので、以下に記載するような効果を奏する。
【００１４】
すなわち、本発明のゴミ箱支持装置は、支持部がゴミ箱を前傾し得るように着脱可能に支持するので、ゴミ箱自体を直接前傾させることはなくなり、それゆえに専用の特殊な形状のゴミ箱とする必要がなく、汎用のゴミ箱を使用することができる。また、ゴミ箱が前傾することと蓋体が開くことが、連動機構により連動するので、ゴミ箱の前傾と蓋体の開放とをほぼ同時に行うことができる。しかも蓋体は、ゴミ箱とは別体であるので、ゴミ箱のみを交換することにより、メンテナンスを実施することができる。
【発明を実施するための最良の形態】
【００１５】
以下、本発明の一実施形態を、図１から図４を参照して説明する。
【００１６】
この実施形態のゴミ箱支持装置１００は、専用ではなく汎用の蓋を一体的には備えてはいないゴミ箱１を前傾し得るようにして支持することができるものであり、ゴミ箱１とは別体である。ゴミ箱１は、この実施形態では、ほぼ直方体形状のものを説明する。
【００１７】
ゴミ箱支持装置１００は、ゴミ箱１を前傾し得るように着脱可能に支持する支持部２と、支持部２が支持しているゴミ箱１が起立している状態でゴミ箱１の開口１ａを閉じる蓋体３と、支持部２が支持するゴミ箱１が前傾することと蓋体３が開くこととを連動させる連動機構４とを備えている。支持部２は、床面Ｆに載置される例えばパイプ製の本体フレーム２１と、その本体フレーム２１に前傾可能に取り付けられる支持フレーム２２とを備えてなる。このような構成の支持部２に対して、蓋体３は、支持部２をなす本体フレーム２１の上端２１ａに取り付けられて、ゴミ箱１が起立している状態でゴミ箱１の開口１ａを閉じる構成である。
【００１８】
本体フレーム２１は、平面視ほぼ矩形形状に折り曲げられて形成される基礎部分２１ｂと、基礎部分２１ｂと一体をなして基礎部分２１ｂの後端から上方に延長される一対の後部支柱部分２１ｃと、基礎部分２１ｂの前端近傍の上方に向いて固定される一対の前部支柱部分２１ｄとを備えてなる。後部支柱部分２１ｃは、支持フレーム２２に支持されるゴミ箱１の高さ寸法に応じて設定される。前部支柱部分２１ｄは、支持フレーム２を前傾させる際の回転中心ＲＣ１となる回転軸（図示しない）を支持するものである。この前部支柱部分２１ｄの高さは、後述する支持フレーム２２の前傾操作部分２２ｃの固定高さに対応しており、ゴミ箱１の底面が床面Ｆにほぼ接触する状態からゴミ箱１を前傾させるに十分な高さに設定してある。
【００１９】
支持フレーム２２は、例えばパイプ製の脚部分２２ａと、脚部分２２ａの上端近傍において固定される枠部分２２ｂと、脚部分２２ａの下端近傍において固定される前傾操作部分２２ｃと、前傾操作部分２２ｃに固定される底支持部分２２ｄとを備えてなる。
【００２０】
脚部分２２ａは、正面視ほぼ矩形形状に折り曲げられて連続する上部分２２ａａに形成されており、その上部分２２ａａが連続していることにより、支持するゴミ箱１の後側の支持枠として機能する。また、脚部分２２ａは、支持フレーム２２が前傾していない場合にはその下端２２ａｂが床面Ｆに接触しているもので、下端２２ａｂが床面Ｆに接触することにより支持しているゴミ箱１が後側に倒れることを妨げる後傾停止部として機能する。さらに、脚部分２２ａは、本体フレーム２１の後部支柱部分２１ｃより、例えばパイプ径のほぼ１／２の長さだけその後面が前方に位置するようにしてあり、ゴミ箱１が本体フレーム２１の後側に突出しないようにしてある。
【００２１】
枠部分２２ｂは、平面視ほぼ矩形形状に折り曲げられた例えば帯状の平板からなり、支持するゴミ箱１の前面１ｂを支持するように形成して脚部分２２ａに固定してある。この枠部分２ｂは、本体フレーム２１の後部支柱部分２１ｃの寸法と同様に、支持するゴミ箱１の大きさに対応して設定するものである。
【００２２】
前傾操作部分２２ｃは、例えばパイプ製で、枠部分２２ｂと同様に脚部分２２ａにその前方に張り出すように固定される枠部分２２ｂより大なる大きさのもので、その奥行き方向の中央位置近傍、具体的には中央位置より前方位置において、本体フレーム２１の前部支柱部分２１ｄの上端近傍に回転中心ＲＣ１を設定して回転可能に取り付けられる。すなわち、前傾操作部分２２ｃは、右及び左側部２２ｃａ，２２ｃｂの後端が脚部分２２ａに固定され、右及び左側部２２ｃａ，２２ｃｂの前端が連結部２２ｃｃにより連結される構成で、右及び左側部２２ｃａ，２２ｃｂと連結部２２ｃｃとは一体に形成されている。この前傾操作部分２２ｃの連結部２２ｃｃは、ゴミ箱１を前傾させる場合に脚で踏むことにより操作する操作部となるものである。また、前傾操作部分２２ｃの回転中心ＲＣ１は、支持フレーム２１の重心より前側に位置するように設定されている。
【００２３】
底支持部分２２ｄは、一対をなす帯状の前後平板２２ｄａ，２２ｄｂからなり、ゴミ箱１の底面を支持するものであり、前傾操作部分２２ｃの後部近傍に前平板２２ｄａが、前傾操作部分２２ｃの奥行き方向のほぼ中央位置に後平板２２ｄｂが、前傾操作部分２２ｃの下方に位置するようにそれぞれ固定される。この底支持部分２２ｄは、支持フレーム２１の内側底面を定めるものであり、支持フレーム２１を前傾させない場合、つまり支持フレーム２１が支持しているゴミ箱１が起立している状態では、床面Ｆにほぼ接触するように深さを設定するものである。このような底支持部分２２ｄの設定であっても、支持フレーム２１の回転中心ＲＣ１が本体フレーム２１の前部支柱部分２１ｄの上端近傍に設定してあることと、ゴミ箱１の起立状態において前平板２２ｄａの固定位置が前部支柱部分２１ｄの位置にほぼ重なり合うことにより、ゴミ箱１を前傾させる場合に前平板２２ｄａが床面Ｆより低い方向に移動しないものである。
【００２４】
蓋体３は、蓋本体３１と、蓋本体３１を本体フレーム２１に取り付けるための左右一対の取付ブラケット３２とを備えている。蓋本体３１は、支持するゴミ箱１の開口１ａを閉鎖するのに十分な大きさ、すなわちゴミ箱１の開口１ａの大きさより一回り大きな外形寸法を有した平面視矩形の平板からなる。それぞれの取付ブラケット３２は、蓋本体３１の両側後部の下面において固定されて、その後端近傍において本体フレーム２１の上端２１ａ近傍部位に連結される。これによって、蓋体３は、本体フレーム２１の上端２１ａ部分に回転中心ＲＣ２が設定されて回転可能に取り付けられるものである。
【００２５】
連動機構４は、左右一対の棒体４１からなり、それぞれの棒体４１は、その上端４１ａが外側に向けて折り曲げてあるとともに、その下端４１ｂが内側に向けて折り曲げてある。それぞれの棒体４１は、その折り曲げられた上端４１ａが取付ブラケット３２の前端部分３２ａにおいて取付ブラケット３２の内側から回転可能に係合させてあるとともに、前傾操作部分２２ｃの後端近傍において前傾操作部分２２ｃの外側から回転可能に係合させてある。棒体４１の前傾操作部分２２ｃに対する係合位置は、支持フレーム２２が前傾しない状態において、棒体４１の上端４１ａの係合位置より前方となるように設定してある。
【００２６】
このような構成において、ゴミ箱支持装置１００は、支持フレーム２２内にゴミ箱１が入れられて、図３及び図４に示すように、例えば天板Ｔの下方に置かれて使用されるものである。このように、天板Ｔの下方に置く場合、蓋体３の蓋本体３１の前縁を、天板Ｔの前縁のほぼ直下に位置させると、使い勝手を良好にすることができる。
【００２７】
この実施形態の場合、支持フレーム２２の枠部分２２ｂの平面視形状が矩形になっているので、枠部分２２ｂでの支持の状態を考慮すると、使用するゴミ箱１の横断面形状も矩形のものが好ましい。そして、支持フレーム２２に前傾のための操作力が加えられていない状態では、ゴミ箱１が本体フレーム２１の後部支柱部分２１ｄに接近してほぼ垂直に起立して、ゴミ箱１の開口１ａを蓋体３が閉じている。
【００２８】
次に、ゴミ箱１にゴミを捨てる場合は、支持フレーム２２の前傾操作部分２２ｃの連結部２２ｃｃを足で踏む、つまり前傾操作部分２２ｃに前傾のための操作力を加える。このように、支持フレーム２２の前傾操作部分２２ｃの連結部２２ｃｃを足で踏むと、支持フレーム２２が回転中心ＲＣ１を中心として前方に向かって回転することによって、支持フレーム２２に支持されているゴミ箱１が前傾する。すなわち、連結部２２ｃｃを床面Ｆに接触するまで降下させると、支持フレーム２２の前傾操作部分２２ｃの回転中心ＲＣ１より後方の部分が上昇する。したがって、前傾操作部分２２ｃが回転中心ＲＣ１を中心として前傾することにより、底支持部分２２ｄにおいても前平板２２ｄａより後平板２２ｄｂが持ち上がる状態となるので、支持フレーム２２に支持されているゴミ箱１は、蓋体３が開口１ａを閉じている起立する状態すなわち起立位置から前傾することになる。
【００２９】
このようにして前傾操作部分２２ｃが、水平位置から動いて、その後部が持ち上がって支持フレーム２２が前傾すると、連動機構４の棒体４１の下端４１ｂは、上述したように、前傾操作部分２２ｃの回転中心ＲＣ１より後方において前傾操作部分２２ｃに回転可能に係合しているので、上方向に押し上げられて移動する。
【００３０】
棒体４１が上方に移動すると、蓋体３の取付ブラケット３２の前端部分３２ａが持ち上げられることになる。この結果、蓋体３は、棒体４１の上昇力を受けて、取付ブラケット３２の回転中心ＲＣ２を中心にして上方で、かつ後方に回転する。したがって、支持フレーム２２が前傾しているとともに、その前傾に連動して動いて蓋体３が水平位置、つまりゴミ箱１の開口１ａを閉鎖している状態から上及び後側に大きく変位しているので、図３及び図４に示すように、ゴミ箱１の開口１ａは、垂直上方に向いている状態から、斜め前方で、かつ上方に向くことになる。このように、ゴミ箱１が前傾している間は、前傾操作部分２２ｃに前傾のための操作力を加えておくものである。ゴミをゴミ箱１に捨てる場合に、ゴミ箱１の開口１ａが天板Ｔの前縁から下ろした垂線より前に飛び出した状態で使用者の方向に向くので、極めて容易にゴミ箱１にゴミを捨てることができる。
【００３１】
しかも、前傾操作部分２２ｃの回転中心ＲＣ１が、支持フレーム２２の重心より前側に設定されているので、前傾操作部分２２ｃに対する前傾のための操作力を解除する、つまり足での操作を解除すると、支持フレーム２２の重量（自重）により前傾操作部分２２ｃは操作されていない状態、つまり水平な位置まで回転する。したがって、ゴミ箱１は、前傾した状態からほぼ垂直に立つ起立状態、したがって起立位置に戻る。この時、前傾操作部分２２ｃの回転により連動機構４の棒体４１が下側に移動し、蓋体３が下方に向かって回転する。これにより、蓋体３がゴミ箱１の開口１ａを閉鎖するものである。このように、ゴミを捨てた後にゴミ箱１の開口１ａが閉鎖されるので、蓋体３を開けっ放しにすることを確実に防止することができる。
【００３２】
また、ゴミ箱１の前傾を解除すること、及び蓋体３によりゴミ箱１の開口１ａを閉じるために、特に専用の機構を必要としないので、安価に製造することができる。しかも、ゴミ箱１の前傾や、蓋体３の開閉に複雑な機構を使用していないので、前傾動作や蓋体３の開閉動作に異常が生じる可能性を最小限に押さえることができる。さらに、ゴミ箱１を支持フレーム２２内に装着すること、及びゴミ箱を交換するために支持フレーム２２から取り外すことを、支持フレーム２２を前傾させ、したがって蓋体３が水平な位置から後側に傾いて開いた状態で行うので、支持フレーム２２の内側を明瞭に認識することができる。その上、ゴミ箱１を支持フレーム２２に出し入れする場合に、枠部分２２ｂを案内手段として機能させることができ、これらの作業を容易に行うことができる。
【００３３】
なお、本発明は、上記実施形態に限定されるものではない。
【００３４】
上記実施形態においては、前傾操作部分２２ｃの前端の連結部２２ｃｃに、前傾のための操作力を加える操作部を設定したが、このような前傾のための操作部を、例えば枠部分２２ｂの正面あるいは側面に設定し、足に代えて手により前傾のための操作を行うようにするものにしてもよい。
【００３５】
また、支持フレーム２２を前傾させることによって蓋体３が開く動作を説明したが、蓋体３に操作部を設けて、蓋体３を開くことにより支持フレーム２２したがってゴミ箱１を前傾させるものであってもよい。
【００３６】
さらに、上記実施形態においては、ゴミ箱１がほぼ直方体形状のものを説明したが、ゴミ箱１がほぼ円柱形状あるいはほぼ逆円錐台形状のものであってもよい。このようなほぼ円柱形状あるいはほぼ逆円錐台形状のゴミ箱を支持するものでは、枠部分の形状を、平面視円形形状に平板を湾曲させたものにすればよい。
【００３７】
加えて、上記実施形態では、支持フレーム２２の脚部分２２ａの下端が床面Ｆに接触することにより、支持フレーム２２が後方に傾斜することを禁止していたが、このような支持フレーム２２の後方への傾斜を禁止するために、本体フレーム２１の後部支柱部分２１ｃ間に横架材を固定して、その横架材に支持フレーム２２が接触する構造とするものであってもよい。
【００３８】
その他、各部の具体的構成についても上記実施形態に限られるものではなく、本発明の趣旨を逸脱しない範囲で種々変形が可能である。
【図面の簡単な説明】
【００３９】
【図１】本発明の実施形態を示す斜視図。
【図２】同実施形態の正面図。
【図３】同実施形態の側面図。
【図４】同実施形態のゴミ箱が前傾している状態を示す側面図。
【符号の説明】
【００４０】
１…ゴミ箱
２…支持部
３…蓋体
４…連動機構
２１…本体フレーム
２２…支持フレーム
【図１】
2006096525.tif 000003
【図２】
2006096525.tif 000004
【図３】
2006096525.tif 000005
【図４】
2006096525.tif 000006